(57)【要約】      （修正有）【課題】印刷データ生成時の時刻と印刷時の時刻との間で、所望の時刻を印刷テープに印刷することができるテープ印刷装置を提供する。【解決手段】日付を含む時刻を計時する計時部８１と、生成した印刷データと共に印刷日時を印刷する印刷手段と、印刷日時を、印刷データの生成時の日付時刻および印刷データの印刷時の日付時刻の少なくとも一方に設定する印刷日時設定手段９７と、印刷日時設定手段９７の設定に基づいて、計時部８１から印刷日時を取得する印刷日時取得手段と、を備えた。【選択図】図５
2008307795.tif 000002
【特許請求の範囲】
【請求項１】
日付を含む時刻を計時する計時手段と、
生成した印刷データと共に特定時刻を印刷する印刷手段と、
前記特定時刻を、前記印刷データの生成時の計時データおよび前記印刷データの印刷時の計時データの少なくとも一方に設定する特定時刻設定手段と、
前記特定時刻設定手段の設定に基づいて、前記計時手段から前記特定時刻を取得する特定時刻取得手段と、を備えたことを特徴とするテープ印刷装置。
【請求項２】
生成中の前記印刷データと共に前記特定時刻を表示する表示手段を、更に備えたことを特徴とする請求項１に記載のテープ印刷装置。
【請求項３】
前記特定時刻設定手段により、前記特定時刻を、前記印刷データの印刷時の計時データと設定した場合において、
前記表示手段は、前記印刷データと共に、印刷時の前記計時データを表す特定時刻マークを表示することを特徴とする請求項２に記載のテープ印刷装置。
【請求項４】
前記印刷データおよび前記特定時刻に基づいて、印刷する印刷テープのテープ長を推定するテープ長推定手段を更に備え、
前記表示手段は、生成中の前記印刷データおよび前記特定時刻に加え、推定した前記テープ長を表示することを特徴とする請求項２または３に記載のテープ印刷装置。
【請求項５】
前記特定時刻設定手段により、前記印刷データの印刷時の計時データを前記特定時刻として設定した場合において、
前記テープ長推定手段は、前記特定時刻を、前記計時手段から取得した現在の計時データとして前記テープ長を推定することを特徴とする請求項４に記載のテープ印刷装置。
【発明の詳細な説明】
【技術分野】
【０００１】
本発明は、印刷テープに、印刷データと共に時刻（計時データ）を印刷してラベルを作成するテープ印刷装置に関するものである。
【背景技術】
【０００２】
従来、この種のテープ印刷装置として、印刷テープに時刻を印刷するものが知られている（特許文献１参照）。このテープ印刷装置は、入力された文字等からなる印刷データと共に時刻等の情報を印刷するものであり、時刻として印刷データ生成時（厳密には、印刷データ確定時）の時刻を印刷するようにしている。
【特許文献１】特開２０００−６５０１号公報
【発明の開示】
【発明が解決しようとする課題】
【０００３】
ところで、印刷テープに印刷する時刻は、印刷データ生成時とすることが求められている一方、印刷テープへの印刷時とすることも求められている。例えば、生成した１の印刷データに対し、複数の印刷を行う場合には、印刷する時刻を、印刷データ生成時とするか印刷時とするかによって印刷結果に差が生じる。すなわち、時刻を印刷データ生成時とした場合には、複数の印刷で、同一の時刻が印刷されるのに対し、時刻を印刷時とした場合には、複数の印刷で、別々の時刻が印刷される。前者のように、複数の印刷に対し同一の印刷結果を得たい場合には、時刻を印刷データ生成時とすることが好ましく、後者のように、複数の印刷に対し別々の印刷結果を得たい場合には、時刻を印刷時とすることが好ましい。具体例をあげれば、時刻を印刷時とし、ある商品が製造される都度、ラベルを印刷して、製造された商品に当該ラベルを貼着する。このようにすれば、商品に貼着されたラベルを見れば、商品の製造時刻を容易に知ることができる。
【０００４】
しかしながら、上記のテープ印刷装置では、印刷データ生成時点の時刻しか印刷することができず、ユーザにとって所望の時刻を印刷することができないという問題があった。
【０００５】
本発明は、印刷データ生成時の時刻および印刷時の時刻の少なくとも一方の時刻を簡易に印刷テープに印刷することができ、ユーザの利便性を高めたテープ印刷装置を提供することを課題としている。
【課題を解決するための手段】
【０００６】
本発明のテープ印刷装置は、日付を含む時刻を計時する計時手段と、生成した印刷データと共に特定時刻を印刷する印刷手段と、特定時刻を、印刷データの生成時の計時データおよび印刷データの印刷時の計時データの少なくとも一方に設定する特定時刻設定手段と、特定時刻設定手段の設定に基づいて、計時手段から特定時刻を取得する特定時刻取得手段と、を備えたことを特徴とする。
【０００７】
この構成によれば、印刷する時刻（特定時刻）を、印刷データの生成時の時刻（計時データ）および印刷データの印刷時の時刻（計時データ）の少なくとも一方に設定できることにより、ユーザにとって所望の時刻を印刷テープに印刷することができる。これにより、テープ印刷装置の利便性を向上することができると共に、ラベル作成の自由度が高めることができる。なお、ここでいう印刷データの生成時とは、厳密には、印刷要素として時刻を挿入した時や、印刷データを確定した時等といった一定の時であり、印刷時とは、厳密には、印刷キーを押下した時や、印刷を開始した時等といった一定の時である。また、ここでいう時刻とは、広義であり、狭義の時刻（時、分、秒）に加え、日付（年、月、日）を含むものである。
【０００８】
この場合、生成中の印刷データと共に特定時刻を表示する表示手段を、更に備えることが好ましい。
【０００９】
この構成によれば、表示手段により、ユーザは、時刻（特定時刻）を視認しながら印刷データの生成、編集を行うことができるため、印刷データに付加した時刻の印刷を忘れることなく、テープ印刷装置の利便性を更に向上させることができる。
【００１０】
この場合、特定時刻設定手段により、特定時刻を、印刷データの印刷時の計時データと設定した場合において、表示手段は、印刷データと共に、印刷時の計時データを表す特定時刻マークを表示することが好ましい。
【００１１】
この構成によれば、印刷データの生成時点では未知数であり、通常では表示不能な印刷時の時刻（計時データ）に代えて、印刷時の時刻を表す特定時刻マークを表示することにより、ユーザは、印刷要素中において印刷時の時刻が含まれることを意識することができ、また、その挿入位置を視認することができる。そのため、テープ印刷装置の利便性を更に向上させることができる。
【００１２】
この場合、印刷データおよび特定時刻に基づいて、印刷する印刷テープのテープ長を推定するテープ長推定手段を更に備え、表示手段は、生成中の印刷データおよび特定時刻に加え、推定したテープ長を表示することが好ましい。
【００１３】
この構成によれば、テープ長推定手段にて推定したテープ長を、表示手段により表示することにより、ユーザは推定されるテープ長を意識しながらラベルを作成することができる。そのため、ユーザは、作成されるラベルの寸法を容易に予測することができ、ラベル寸法を予測しながらラベルを作成することができる。これにより、テープ印刷装置の利便性を更に向上させることができる。
【００１４】
この場合、特定時刻設定手段により、印刷データの印刷時の計時データを特定時刻として設定した場合において、テープ長推定手段は、特定時刻を、計時手段から取得した現在の計時データとしてテープ長を推定することが好ましい。
【００１５】
この構成によれば、テープ長推定手段により、印刷データの生成時点では未知数である印刷時の時刻（計時データ）を、現在の時刻（計時データ）としてテープ長を推定することにより、未知数の印刷時の時刻があることで通常では推定不能なテープ長を推定することができる。そのため、印刷時の時刻が印刷要素として挿入された状態においても、ユーザはほぼのテープ長を知ることができ、テープ印刷装置の利便性を更に向上させることができる。
【発明を実施するための最良の形態】
【００１６】
以下、添付の図面を参照して、本発明の実施形態に係るテープ印刷装置について説明する。このテープ印刷装置は、文字等に加え、簡単なキー操作により日付や時刻を印刷したラベルを作成することが可能なものである。なお、請求項にいう計時データは、広義の時刻を表すものであり、実施形態上に出てくる狭義の時刻（時、分）に加え、日付（年、月、日）を含むものである（すなわち、実施形態上の日付時刻）。
【００１７】
図１および図２に示すように、テープ印刷装置１は、処理テープ（印刷テープ）Ｔに対して印刷処理を行う装置本体１１と、処理テープＴおよびインクリボンＲを収容し、装置本体１１に着脱自在に装着されるテープカートリッジＣとを備えている。
【００１８】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。機能キー１５には、処理テープＴの余白領域並びに文字等の書式等を設定する各種設定キー１５ａ、後述するディスプレイ２４に表示される選択肢を選択する上下（左右）キー１５ｂ、上記選択肢から所望の選択肢（文字列）を確定する確定キー１５ｃ、入力編集中の文字等を削除する削除キー１５ｄ、印刷処理を実行するための印刷キー１５ｅ、印刷要素として日付や時刻を挿入する日付時刻挿入キー１５ｆ等が含まれる。
【００１９】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２０】
図３に示すように、ディスプレイ（表示手段）２４は横長の表示画面を有し、表示画面の中に広く設定された、印刷データの入力編集を行うための入力編集領域２４ａと、表示画面の左側に設定された、確定した確定文字列により、作成されるラベルの寸法（テープ長およびテープ幅）を逐一表示する寸法表示領域２４ｂを備えている。すなわち、寸法表示領域２４ｂには、検出されたテープ幅と、入力した文字列から自動設定される、あるいは直接入力設定されたテープ長が表示される。なお、ディスプレイ２４には、上記表示内容に加え、設定キー１５ａ等の操作により、各種設定メニュー等も表示される。
【００２１】
図１および図２に示すように、開閉蓋２１の内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている。
【００２２】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。また、図１および図２では省略したが、装置ケース１２の内部には、装置本体１１を統括制御する制御部６０（図４参照）を構成する回路基板が搭載されている。
【００２３】
カートリッジ装着部３１には、ヘッドカバー４０に覆われたサーマル方式の印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ２６（図４参照）が設けられている。さらに、カートリッジ装着部３１には、プラテン駆動軸４３および巻取り駆動軸４４を駆動する印刷送りモータ４６（図４参照）や減速ギヤ列等（図示省略）が内蔵されている。
【００２４】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、処理テープＴとインクリボンＲとが重なる部分に対応し、上記プラテン駆動軸４３に嵌合して回転駆動するプラテンローラ５５が配置されている。
【００２５】
テープカートリッジＣをカートリッジ装着部３１に装着すると、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。入力編集により印刷データが生成されると、生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、リボン巻取りリール５３に巻き取られる。印刷処理後の処理テープＴは、印刷済み部分がカッタユニット３３により切断され、切断された処理テープＴがラベルとしてテープ排出口３２から外部に排出される。
【００２６】
処理テープＴは、テープ種別（テープ幅、テープ色、インクリボン色、テープ材質など）が異なる複数種のものが用意されており、裏面に粘着剤層が塗着された記録テープＴ１と、この粘着剤層により記録テープＴ１に貼付された剥離テープＴ２とから構成されている。カートリッジケース５０の裏面には、小さな複数の被検出孔（図示省略）が形成され、上記のテープ識別センサ２６によってこの複数の被検出孔が検出されることにより、処理テープＴの種別を識別できるようになっている。
【００２７】
次に、図４を参照し、テープ印刷装置１の制御系について説明する。テープ印刷装置１は、操作部６１と、検出部６２と、計時部８１と、印刷部（印刷手段）６３と、切断部６４と、駆動部６５と、これら各部に接続して、テープ印刷装置１全体を制御する制御部６０と、を有している。
【００２８】
操作部６１は、キーボード１７上の文字入力キー１３、機能キー１５等からのデータ入力や印刷データ等のディスプレイ２４への表示など、ユーザインタフェースとして機能する。検出部６２は、テープ識別センサ２６を有し、処理テープＴ（テープカートリッジＣ）の種別を検出する。計時部８１は、時計回路（計時手段）８２を有し、現在の日付および時刻を計測する。印刷部６３は、テープカートリッジＣ、印刷ヘッド４１および印刷送りモータ４６を有し、生成された印刷画像に基づいて印刷ヘッド４１により処理テープＴに印刷処理を行う。切断部６４は、処理テープＴを切断するフルカッタ３４及びこれを駆動するフルカッタモータ３５からなるカッタユニット３３を有し、印刷部６３で印刷処理済みの処理テープＴを所定長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００２９】
制御部６０は、ＣＰＵ（Central Processing Unit）７１と、ＣＰＵ７１で各種制御処理を行うための制御プログラムを有するＲＯＭ（Read Only Memory）７２、各種制御処理の作業領域となるＲＡＭ（Random Access Memory）７３と、テープ印刷装置１の各部と入力データや制御信号の入出力を行う入出力制御装置（以下、「ＩＯＣ：Input Output Controller」と称する）７４を備え、これらは互いに内部バス７５により接続されている。そして、ＣＰＵ７１は、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１内の各部に各種信号・データを出力することにより、入力編集処理（印刷データ生成処理）や印刷切断処理の制御を行う。
【００３０】
ここで、図５の機能ブロック図を参照して、上記制御部６０により構成された、時刻印刷に係る各手段について説明する。制御部６０は、印刷データ生成手段９２と、生成状態表示手段９４と、テープ長推定手段９３と、印刷画像生成手段９５と、を構成している。
【００３１】
印刷データ生成手段９２は、各種設定に基づいて、文字等の通常データと、日付時刻を表す日付時刻データからなる印刷データを生成するものである。印刷データ生成手段９２は、日付時刻データを挿入するための印刷日時設定手段（特定時刻設定）９７および日付時刻挿入手段９８を有している。
【００３２】
印刷日時設定手段９７は、印刷する日付時刻（請求項にいう特定時刻のことであり、以下、印刷日時を表記する）を設定するものである。すなわち、図６（ａ）のような選択画面を表示し、ユーザは「日付」「時刻」「日付と時刻」の中から１つを選択設定する。また、次に、図６（ｂ）のような選択画面を表示し、ユーザは「編集時」「印刷時」の中から１つを選択設定する。これらにより、印刷日時が設定される。
【００３３】
日付時刻挿入手段９８は、日付時刻設定手段９７による設定に基づいて、対応する日付時刻データを印刷データに挿入する。すなわち、印刷日時が、「編集時」と設定されている場合には、日付時刻データとして計時部８１から取得した当該挿入時の日付時刻を挿入し、印刷日時が、「印刷時」と設定されている場合には、日付時刻データとして、印刷時の日付時刻に代えて変換記号を挿入する（図７参照）。また、「日付」と設定されている場合には、日付（年、月、日）のみ挿入し、「時刻」と設定されている場合には、時間（時、分）のみ挿入、「日付と時刻」と設定されている場合には、日付および時刻を挿入する（変換記号を挿入する場合には、これらの設定を表す付加情報を付加する）。なお、ここにいう変換記号は、制御部６０内における記号処理に使用される記号であり、視認可能な記号とは異なる。
【００３４】
生成状態表示手段９４は、生成中もしくは生成後の印刷データと、作成されるラベルの寸法（テープ幅およびテープ長）とをディスプレイ２４（表示画面）に表示する。ラベルの寸法として、検出部６２により検出されたテープ幅と、テープ長推定手段９３により推定されたテープ長と、を表示する。なお、印刷データ中に変換記号が含まれている場合には、変換記号に代えて、印刷時の日付時刻を表し且つ時計を模して示された時刻マーク（特定時刻マーク）を表示する。
【００３５】
このように、生成中の印刷データを表示することにより、ユーザは、印刷日時（もしくは時刻マーク）を視認しながら印刷データの生成、編集を行うことができるため、日時の印刷を忘れることなく、テープ印刷装置１の利便性を向上させることができる。また、印刷データの生成時点では未知数であり、表示不能な印刷時の日付時刻に代えて、時刻マークを表示することにより、ユーザは、印刷データにおいて印刷時の日付時刻が含まれることを意識することができ、また、その挿入位置を視認することができる。そのため、テープ印刷装置１の利便性を更に向上させることができる。
【００３６】
テープ長推定手段９３は、自動設定により印刷データから設定されるテープ長を推定するものである。印刷データが変更される都度、当該印刷データから作成されるであろうラベルのテープ長が推定される。推定されたテープ長は、推定の都度、更新されて表示される。なお、印刷データに変換記号が含まれている場合には、変換記号を、計時部８１から取得した現在の時刻に差し替えてテープ長を推定する。
【００３７】
このように、推定したテープ長を表示することにより、ユーザは推定されるラベルの寸法を意識しながらラベルを作成することができる。そのため、ユーザは、作成されるラベルの寸法を容易に予測することができ、ラベル寸法を予測しながらラベルを作成することができる。これにより、テープ印刷装置１の利便性を更に向上させることができる。さらに、印刷データ生成時点では未知数である印刷時の日付時刻を、現在（印刷データ生成中）の時刻として、テープ長を推定することにより、未知数の印刷時の日付時刻があることで通常では推定不能なテープ長を推定することができる。そのため、印刷時の日付時刻が印刷要素として挿入された状態においても、ユーザはほぼのテープ長を知ることができ、テープ印刷装置１の利便性を更に向上させることができる。なお、印刷時の時刻を印刷する場合において、推定するテープ長を一定にするために、日付時刻の挿入スペースを一定としてもよい。例えば、日付時刻として想定される最大スペースを、日付時刻の挿入スペースとし、そのスペースより小さいスペースを有する日付時刻が挿入された場合には、前部もしくは後部を空白とする（時刻のみの印刷の場合、１０時のときは、１０：００、９時のときは、＿９：００とする）。
【００３８】
印刷画像生成手段９５は、生成した印刷データに基づいて印刷画像を生成するものである。印刷データに変換記号が含まれている場合には、計時部８１から取得した印刷時の日付時刻に差し替えて印刷画像を作成する。厳密には、印刷キー１５ｅが押下されると、その押下された日付時刻（印刷日時の設定で設定された「日付」「時刻」「日付と時刻」のいずれか）が取得され、変換記号と差し替えられる。この印刷画像に基づいて、印刷部６３により印刷が行われる。
【００３９】
次に、図７および図８を参照して、テープ印刷装置１による印刷データ生成から処理テープＴ印刷までの動作について説明する。これらの動作は、生成状態表示手段９４により、編集中もしくは生成後の印刷データと、ラベル寸法が表示された状態にて行われる。なお、ここでは、一例として「完成時間」という文字列と、その文字列に続き時刻を印刷するものとする。
【００４０】
まず、印刷データ生成手段９２により「完成時間」という文字列を作成する（Ｓ１）。すなわち、文字入力キー１３や削除キー１５ｄ等により文字列を入力、編集して「完成時間」という文字列を作成する。その後、「完成時間」に続いて時刻を挿入すべく日付時刻挿入キー１５ｆを押下する（Ｓ２）。
【００４１】
日付時刻挿入キー１５ｆが押下されると、印刷日時設定手段９７により、印刷日時の設定が行われる（Ｓ３）。印刷日時の設定を、「日付」と「時刻」と「日付、時刻」の中から選択する選択画面（図６（ａ）参照）が表示され、ユーザは、これらのうち1つを選択する（上下キー１５ｂにより所望の設定を選び、確定キー１５ｃにより確定）。なお、ここでは時刻を挿入したいため、「時刻」を選択する。
【００４２】
上記の選択を行うと、今度は、印刷日時の設定を、「編集時」と「印刷時」とから選択する選択画面（図６（ｂ）参照）が表示される。「編集時」が選択されると（Ｓ４：（ａ））、日付時刻挿入手段９８により、計時部８１から時刻が取得されて、選択された時点の時刻が印刷データに挿入される（Ｓ５）。「印刷時」が選択されると（Ｓ４：（ｂ））、日付時刻挿入手段９８により、この時点で未知数である印刷時の時刻に代わり、変換記号が印刷データに挿入される（Ｓ６）。この際、変換記号は、生成状態表示手段９４（ディスプレイ２４）により表示不能であるため、代わりに時刻マークを表示する。この時刻の挿入により、目標となる印刷データを生成できたため、印刷データの生成を終了する。
【００４３】
次に、印刷キー１５ｅを押下して印刷開始指示を行う（Ｓ７）。印刷キー１５ｅが押下されると、印刷画像生成手段９５により、生成した印刷データに基づいて印刷画像が生成される。印刷データに変換記号が含まれている場合（Ｓ８：Ｙｅｓ）には、変換記号を、時計手段９１から取得した印刷時の日付時刻に差し替えて印刷画像を作成する（Ｓ１０）。印刷データに変換記号が含まれていない場合（Ｓ８：Ｎｏ）には、印刷データをそのままに印刷画像を作成する（Ｓ９）。印刷画像の作成が終了すると、その印刷画像に基づいて、印刷部６３により処理テープＴへの印刷が行なわれる（Ｓ１１）。
【００４４】
このようなラベル作成処理の結果、印刷日時を、「編集時」と設定した場合には、編集時の時刻（日付時刻）が印刷され、印刷日時を、「印刷時」と設定した場合には、印刷時の時刻（日付時刻）が印刷される。このように、印刷する日付時刻を、印刷データ生成時の日付時刻および印刷時の日付時刻のいずれかに設定できることにより、ユーザにとって所望の日付時刻を処理テープＴに印刷することができる。これにより、テープ印刷装置１の利便性を向上することができると共に、ラベル作成の自由度が高めることができる。
【００４５】
以上のような構成により、印刷する日付時刻を、印刷データの生成時の日付時刻および印刷データの印刷時の日付時刻の少なくとも一方に設定できることにより、ユーザにとって所望の時刻を処理テープＴに印刷することができる。これにより、テープ印刷装置１の利便性を向上することができると共に、ラベル作成の自由度が高めることができる。
【００４６】
なお、本実施形態においては、１の印刷データに対し、１の印刷のみ行っているが、１の印刷データに対し、複数の印刷を行うような構成にしてもよい。かかる場合、印刷日時の設定を、「編集時」とした場合には、複数の印刷で同一の印刷結果を得ることができる。また、印刷日時の設定を、「印刷時」とした場合には、複数の印刷で別々の印刷結果、すなわち、各印刷において、印刷時の日付時刻として、異なる日付時刻を有する印刷結果を得ることができる。
【００４７】
また、本実施形態においては、印刷日時を、編集時の時刻と、印刷時の時刻とのいずれかに設定するようにしているが、印刷日時を、両時刻と設定可能であってもよい。かかる場合で、印刷日時を両時刻と設定したときには、印刷データに、日付時刻データとして編集時の時刻および変換記号が挿入され、編集時の表示では、編集時の時刻および時刻マークが表示される。また、ラベルには、編集時の時刻と印刷時の時刻が印刷される。
【図面の簡単な説明】
【００４８】
【図１】本発明の実施形態に係るテープ印刷装置の閉蓋状態における外観斜視図である。
【図２】本実施形態に係るテープ印刷装置の開蓋状態における外観斜視図である。
【図３】ディスプレイの構成を示す模式図である。
【図４】本実施形態に係るテープ印刷装置の制御ブロック図である。
【図５】本実施形態に係るテープ印刷装置の機能ブロック図である。
【図６】印刷日時を設定するための選択図である。
【図７】印刷データ生成から印刷までの動作を説明した説明図である。
【図８】印刷データ生成から印刷までの動作を示したフローチャートである。
【符号の説明】
【００４９】
１：テープ印刷装置、  ２４：ディスプレイ、  ６３：印刷部、  ８２：時計回路、  ９３：テープ長推定手段、  ９５：印刷画像生成手段、  ９７：印刷日時設定手段、  ９８：日付時刻挿入手段、  Ｔ：処理テープ
【図１】
2008307795.tif 000003
【図２】
2008307795.tif 000004
【図３】
2008307795.tif 000005
【図４】
2008307795.tif 000006
【図５】
2008307795.tif 000007
【図６】
2008307795.tif 000008
【図７】
2008307795.tif 000009
【図８】
2008307795.tif 000010